Podtech/llm-jp-corpus-v4-ja_patent huggingface dataset:
(57)【要約】      （修正有）【課題】ストローを収容する収容室が箸本体の上端に設けられ、箸本体内にストローを封止保護することができる、ストローを含む箸を提供する。【解決手段】ストローを含む箸は、箸１０、ストロー２０及び嵌合蓋３０を備える。箸本体上端には、収容室１１が設けられる。収容室は、箸本体内部に深く形成される。収容室の端口には、嵌合部１２が設けられる。ストローは、収容室内に挿入される。嵌合蓋は、嵌合部上に蓋設される。嵌合部には、雄ねじ部１３が設けられ、嵌合蓋の底部には、嵌合部に形成された雄ねじ部と噛合する雌ねじ部が設けられる。【選択図】図１
0003217734.tif 000002
【実用新案登録請求の範囲】
【請求項１】
箸、ストロー及び嵌合蓋を備えたストローを含む箸であって、
前記箸の本体上端には、収容室が設けられ、
前記収容室は、前記箸の本体内部に深く形成され、
前記箸の本体上端の前記収容室の端口には、嵌合部が設けられ、
前記ストローは、前記箸の本体上端に設けられた前記収容室内に挿入され、
前記嵌合蓋は、前記嵌合部上に蓋設されることを特徴とするストローを含む箸。
【請求項２】
前記箸の本体上端の前記嵌合部には、雄ねじ部が設けられ、
前記嵌合蓋の底部には、前記箸の本体上端の前記嵌合部に形成された前記雄ねじ部と噛合する雌ねじ部が設けられていることを特徴とする請求項１に記載のストローを含む箸。
【考案の詳細な説明】
【技術分野】
【０００１】
本考案は、ストローを含む箸に関するものであり、さらに詳しくは、ストローを収容する収容室が箸本体の上端に設けられ、箸本体内に箸を封止保護することができる、ストローを含む箸に関するものである。
【背景技術】
【０００２】
従来、個人の健康及び環境保護の意識の高まりに従い、使い捨ての食器を使用せず、箸、スプーンなどの食器を携帯して外食する際に使用する者が徐々に増えているが、それらの食器は、携帯及び使用に不便であったため、使用する意欲が低かった。箸は広く使用される食器であるため、一部の消費者は、携帯し易いように箸のみ携帯していた。しかし、消費者が食事をする際、飲み物も一緒に注文することが一般的であり、その際、消費者が飲み易いようにプラスチックストローが提供されることが一般的であった。しかし、プラスチックストローは使い捨て製品であったため、環境を汚染させる虞があり、環境汚染の観点からプラスチックストローは使い捨てにせず、再利用可能で携帯性の良いストローが求められた。
【考案の概要】
【考案が解決しようとする課題】
【０００３】
従って、本考案の課題は、プラスチックストローのゴミにより環境が汚染される問題を改善するために、外出する際に携帯し易いストローを含む箸を提供することにある。
【課題を解決するための手段】
【０００４】
そこで、本考案者は、前記の本考案の課題を解決するため鋭意検討を重ねた結果、箸の本体上端に収容室が設けられ、収容室は、箸の本体内部に深く形成され、箸の本体上端の収容室の端口には、嵌合部が設けられ、ストローは、箸本体の上端に設けられた収容室内に挿入され、嵌合蓋は、嵌合部上に蓋設され、箸本体内に箸を封止保護するため、携帯し易いストローを含む箸を提供することにある。
【０００５】
かくして、本考案の要旨は次の（１）〜（２）に記載の通りである。
（１）箸、ストロー及び嵌合蓋を備えたストローを含む箸であって、
前記箸の本体上端には、収容室が設けられ、
前記収容室は、前記箸の本体内部に深く形成され、
前記箸の本体上端の前記収容室の端口には、嵌合部が設けられ、
前記ストローは、前記箸の本体上端に設けられた前記収容室内に挿入され、
前記嵌合蓋は、前記嵌合部上に蓋設されることを特徴とするストローを含む箸。
【０００６】
（２）前記箸の本体上端の前記嵌合部には、雄ねじ部が設けられ、
前記嵌合蓋の底部には、前記箸の本体上端の前記嵌合部に形成された前記雄ねじ部と噛合する雌ねじ部が設けられていることを特徴とする前記（１）に記載のストローを含む箸。
【考案の効果】
【０００７】
本考案のストローを含む箸は、箸、ストローの同時携帯性が良く、かつ再利用可能なため、プラスチック資源の節約になり、環境汚染の観点からも著しく顕著な効果がある。
【図面の簡単な説明】
【０００８】
【図１】図１は、本考案の一実施形態に係るストローを含む箸を示す分解斜視図である。
【図２】図２は、本考案の一実施形態に係るストローを含む箸にストローを収容する状態を示す分解斜視図である。
【図３】図３は、本考案の一実施形態に係るストローを含む箸を示す斜視図及び部分断面図である。
【考案を実施するための形態】
【０００９】
図１〜図３を参照する。図１〜図３に示すように、本考案の一実施形態に係るストローを含む箸は、少なくとも箸１０、ストロー２０及び嵌合蓋３０から構成されてなる。箸１０の本体上端には、収容室１１が設けられる。収容室１１は、箸１０の本体内部に深く形成されている。箸１０の本体上端の収容室１１の端口には、嵌合部１２が設けられる。ストロー２０は、箸１０の本体上端に設けられた収容室１１内に挿入される。嵌合蓋３０は、嵌合部１２上に蓋設される。
【００１０】
箸１０の本体上端の嵌合部１２には、雄ねじ部１３が設けられる。嵌合部１２上に蓋設された嵌合蓋３０には、箸１０の本体上端の嵌合部１２に形成された雄ねじ部１３と噛合する雌ねじ部３１が底部に設けられ、箸１０の本体上端の嵌合部１２上に嵌合蓋３０が螺着され、箸１０内に収容されたストロー２０を封止保護することができる。
【００１１】
ストロー２０を実際に使用する場合、嵌合部１２の嵌合蓋３０を開き、箸１０の収容室１１からストロー２０を取り出して使用する。ストロー２０の使用が完了した後、ストロー２０を洗浄して乾かし、箸１０の収容室１１内にストロー２０を挿入して嵌合蓋３０で覆う。
【００１２】
上述したことから分かるように、本考案のストローを含む箸は、箸１０内部にストロー２０を収容することができるため、携帯し易い上、箸１０を清潔な状態に保つことができ、構造が簡素で使用し易い。
【符号の説明】
【００１３】
１０  箸
１１  収容室
１２  嵌合部
１３  雄ねじ部
２０  ストロー
３０  嵌合蓋
３１  雌ねじ部
【図１】
0003217734.tif 000003
【図２】
0003217734.tif 000004
【図３】
0003217734.tif 000005
(57)【要約】      （修正有）【課題】鍔を留めた鍔立に時刻表示を行なうことができるようにし、動的で面白みがあり、かつ時刻も表示できるという実利的な面も有する鍔立を提供する。【解決手段】鍔２と鍔２を掛け留める鍔掛け６を正面に突設した立て掛け板部３と立て掛け板部３を傾倒状態で支持する傾斜支持部４とを備え、立て掛け板部３の背面側に時計ムーブメント１０が位置し、時計ムーブメント１０から指針軸が鍔掛け６に通っていて、鍔掛け６に掛け留められている鍔２の前方側に位置するようにして指針軸に時針１４と分針１５とからなる指針１１を取り付けた。【選択図】図１
0003217782.tif 000002
【実用新案登録請求の範囲】
【請求項１】
鍔と、鍔を掛け留める鍔掛けを正面に突設した立て掛け板部と、この立て掛け板部を傾倒状態で支持する傾斜支持部とを備えている鍔立であって、
前記立て掛け板部の背面側に時計ムーブメントが位置し、この時計ムーブメントから指針軸が立て掛け板部の鍔掛けに通っていて、この鍔掛けに掛け留められている鍔の前方側に位置するようにして前記指針軸に時針と分針とからなる指針が取り付けられていることを特徴とする鍔立。
【考案の詳細な説明】
【技術分野】
【０００１】
本考案は、刀剣の柄と刀身との間に挟んで柄を握る手を防護する鍔を掛け留めて、鑑賞しやすくする鍔立に関するものである。
【背景技術】
【０００２】
従来から鍔を鑑賞しやすくする用具として鍔立が用いられており、この鍔立は鍔を掛け留める立て掛け板部を主体部分とし、この立て掛け板部を傾倒状態で支持する傾斜支持部をも合わせて備えているものとして構成されている。
【０００３】
そして鍔立の立て掛け板部に鍔を留めることで鑑賞の対象が鍔である置物となるが、静的な置物となっていることから、例えば特許文献の写真立てに時計を組み合わせた置物のように、時刻表示を行なわせるようにして動的な動きをして面白みのある形態にしたいとの要望がなされるようになってきた。
【先行技術文献】
【特許文献】
【０００４】
【特許文献１】公開実用昭和５８−０７４８７１号
【考案の概要】
【考案が解決しようとする課題】
【０００５】
しかしながら、特許文献１に示されているような時計としての動きのある部分を立て掛け板部の隅部に配置しても、時針や分針を大きくすることができず、面白みに欠けるという不具合がある。
【０００６】
そこで本考案は上記事情に鑑み、鍔を留めた鍔立に時刻表示を行なうことができるようにすることを課題とし、動的で面白みがあり、かつ時刻も表示できるという実利的な面も有する鍔立を提供することを目的とするものである。
【課題を解決するための手段】
【０００７】
本考案は上記課題を考慮してなされたもので、鍔と、鍔を掛け留める鍔掛けを正面に突設した立て掛け板部と、この立て掛け板部を傾倒状態で支持する傾斜支持部とを備えている鍔立であって、
前記立て掛け板部の背面側に時計ムーブメントが位置し、この時計ムーブメントから指針軸が立て掛け板部の鍔掛けに通っていて、この鍔掛けに掛け留められている鍔の前方側に位置するようにして前記指針軸に時針と分針とからなる指針が取り付けられていることを特徴とする鍔立を提供して、上記課題を解消するものである。
【考案の効果】
【０００８】
本考案によれば、鍔の前方側（鍔立を正面から見たときの鍔位置より手前側）に指針が位置するので、時針や分針を長く設けることができて時刻表示が明確に行なえる。また、鑑賞の対象である鍔を、時計の装飾が施された文字板代わりに使用することができるという優れた効果を奏するものである。
【図面の簡単な説明】
【０００９】
【図１】本考案の実施の形態を正面から見た状態で説明図である。
【図２】同じく実施の形態を側方から見た状態で示す説明図である。
【考案を実施するための形態】
【００１０】
つぎに本考案を図１と図２に示す実施の形態に基づいて詳細に説明する。図中１は鍔立で、該鍔立１は図１と図２とに示されているように鍔２と、この鍔２を正面側に掛け留めた立て掛け板部３と、この立て掛け板部３を後傾状態で支持する傾斜支持部４とを備えてなるものである。
【００１１】
（立て掛け板部）
立て掛け板部３は、鍔２を受ける板本体５が後傾しており、その板本体５の正面に鍔２を掛け留める突起状の鍔掛け６が突設している。鍔２は中心孔（なかごあな）７に前記鍔掛け６を通すようにしてこの鍔掛け６に掛け留めている。
【００１２】
（傾斜支持部）
傾斜支持部４は、立て掛け板部３の背面を受けてこの立て掛け板部３を後傾させる受け板８と、受け板８の下端部に一体にして取り付けられている台板９とからなるものである。そして、前記台板９は鍔立全体が安定して載置台などの平板の上に配置できる重量を有するものとされている。
【００１３】
本鍔立１にあっては時刻を表示する機能を有しているものである。時刻を表示する前記機能は時計ムーブメント１０とこの時計ムーブメント１０に連結されて回転する指針１１とから構成されている。
【００１４】
（時計ムーブメント）
図２に示されているように時計ムーブメント１０は、上記立て掛け板部３の板本体５の背面に取り付けられている。立て掛け板部３は上述したように受け板８に重ねることから、時計ムーブメント１０の部分に干渉しないように受け板８に切り欠き部分１２が設けられている。
【００１５】
（指針）
時計ムーブメント１０からは指針軸１３が上記板本体５と鍔掛け６とを貫通するようにして鍔掛け６の前方に通されている。そして、鍔掛け６に掛け留められている鍔２の前方側に位置するようにして指針軸１３に時針１４と分針１５とからなる前記指針１１が取り付けられていて、鍔２の手前で、時計ムーブメント１０の駆動の下で動く時針１４と分針１５とにより時刻表示を行なうように設けられている。
【００１６】
なお、上記実施の形態では、傾斜支持部４を立て掛け板部３とは別部材とした例を説明したが、本考案では実施の形態に限定されるものではなく、傾斜支持部４を立て掛け板部３の背面側に一体にして組み付けられているものとするも可能である。
【符号の説明】
【００１７】
１…鍔立
２…鍔
３…立て掛け板部
４…傾斜支持部
５…板本体
６…鍔掛け
７…鍔２の中心孔
８…受け板
９…台板
１０…時計ムーブメント
１１…指針
１２…切り欠き部分
１３…指針軸
１４…時針
１５…分針
【図１】
0003217782.tif 000003
【図２】
0003217782.tif 000004
(57)【要約】      （修正有）【課題】テーブル脚接続（丸脚に限る）における金物埋込加工を不要にし、脚接続部の衝撃に対する強度を維持し容易に取り付け・取り外しが行える接合冶具を提供する。【解決手段】木製板面上に取り付けられるつば付き筒状のメスネジ金物１、１′と、キャップ状又はソケット状で丸棒型木製部にかぶせて取り付けられる筒状のオスネジ金物２、３とを備え、オスネジ金物２、３は金属製の先端部を有し、金属部分にある穴で木製部に木ビスにより固定されて、メスネジ金物１、１′とオスネジ金物２、３とのねじ込み接合により取り付けられる。【選択図】図１
0003217703.tif 000002
【実用新案登録請求の範囲】
【請求項１】
木製板面上に取り付けられるつば付き筒状のメスネジ金物と、丸棒型木製部にかぶせて取り付けられるオスネジ金物とを備え、オスネジ金物は金属製の先端部を有しそれぞれの金属部分にある穴で木製部に木ビスにより固定されて、オス・メスネジ金物どうしのねじ込み接合により取り付けられる事を特徴とする接合冶具。
【請求項２】
木製板面上に取り付けられるつば付き筒状のメスネジ金物には、つば部分と木製板面が密着し、つば部分に設けられた複数個所の穴を木ビスにより固定されオスネジ金物には筒状の金物とキャップ状の金物があり、筒状の金物においては、筒方向両端にはネジ山が形成されておらず複数個所の穴により木製丸棒に通した位置で固定されキャップ状の金物においては、木製丸棒にかぶせる際キャップ状の金物の頭部分と差し込み部分にはネジ山が形成されておらず複数個所の穴により木製丸棒先端部分に固定する事を特徴とする請求項１に記載の接合冶具。
【請求項３】
前記金物にあっては、ネジ山が平行ネジでありネジのどちらからでも挿入出来ることを特徴としており、木製板面上の四隅の穴につば付き筒状のメスネジ金物のネジ部を埋め込みつば部分の穴で木ビスにより固定され、オス・メスネジ金物どうしのねじ込み接合により取り付けられる事を特徴とする請求項１に記載の接合冶具。
【考案の詳細な説明】
【技術分野】
【０００１】本考案は、従来のテーブル等木製脚取り付金物の弱点を改善し多目的に活用でき、なお且つ簡易的に着脱可能な、金物に関するものである。
【背景技術】
【０００２】従来から、木製脚をテーブル等に取り付ける場合、木製脚部分に金物を埋め込む加工を施し、金物が外から見えないようにするのが一般的である。【０００３】しかしながらこの金物においては、外部からの衝撃によって木の繊維が潰れ、接合面にぐらつきが生じる事や技術的な加工を行なう必要があり、一般の人には、取り付けが困難な問題があった。【０００４】上記問題を解決するために、木製脚を角型の金物に差し込み固定する角型脚の金物が存在している。しかしながら今回の提案では木製丸形脚に限定しているので、特許文献１との比較とする。この場合において丸形脚の底部より長ボルトによる天板との接続が記載されている。
【先行技術文献】
【特許文献】
【０００５】
【特許文献１】特願平６−６８４６号公報
【考案の概要】
【考案が解決しようとする課題】
【０００６】しかしながらこの丸形脚の金物の場合、長ボルトで脚全体を締め付ける為脚のぐらつきを防止することが出来るものの次のような課題もある。【０００７】第一に座卓等短い脚の場合有効であるが、テーブル等の長い脚の場合丸形脚の中心部に穴を貫通させるには、高度な技術が必要となる。【０００８】第２に、衝撃によるボルトの緩みが生じる恐れがある。【０００９】本考案は、かかる実情に鑑み金属どうしの接続といった手法により脚部の堅固な接続が可能になり前述の欠点を解決しようとするものである。
【課題を解決するための手段】
【００１０】上記課題を解決するため、木製板面上に取り付けられるつば付き筒状のメスネジ金物と、丸棒形木製部にかぶせて取り付けられるオスネジ金物とを備え、オスネジ金物は金属製の先端部を有し、それぞれの金属部分にある穴で木製部に木ビスにより固定されて、オス・メスネジ金物どうしのねじ込み接合により取り付けられる事で問題点を解決している。【００１１】このように、天板と脚部分をねじ込み式にした場合、運搬搬出の際の組立・分解が、容易に行なえる。【００１２】本考案の好ましい形態では、金物のサイズを変える事で、机・テーブル・棚等色々な分野で活用出来る。【００１３】本考案の好ましい形態では、天板部分の穴加工により、金物自体を見えにくくすることも出来る。【００１４】本考案の好ましい形態では、棚等に使用する際、棚の段数や高さの調整が容易に出来る。【００１５】本考案の好ましい形態では、金物を意匠的意味あいで、見せる事が出来るのも特徴的である。【００１６】本考案の好ましい形態では、テーブル脚の目的以外でも多用途的な発想をもって、利用可能な点である。【００１７】本考案の好ましい形態では、取り外して何度も使用可能な点である。
【考案の効果】
【００１８】本考案は、技術的な木材部の掘り込み加工を必要とせず、木ネジだけで取り付けが容易であり、移動・収納時における組立・分解が可能である。
【図面の簡単な説明】
【００１９】
【図１】本考案の−形状を示す外観斜視図である。
【図２】本考案の−取り付け形態を示す外観斜視図である。
【図３】本考案の−取り付け形態を示す外観斜視図である。
【考案を実施するための形態】
【００２０】以下本考案を図面に示した好ましい取付形態について詳細に説明する。
本考案の技術的範囲は、添付図面に示した実施形態に限定されるものではなく、実用新案登録請求の範囲に記載された範囲内において、適宜変更が可能である。
【００２１】図１は、本考案の金物単体形状を示している。木製板に取り付けるつば付き筒状のメスネジ金物（１）を示しており（１）′は取り付け向きを変えた形状となっている。ａ、ｃ、ｆは平行ネジとなっており差し込みの方向を選択出来る。ｂは、木製板に固定するツバ状部分にビス穴があり、ａ、ｂは、金属絞り加工により一体となっている。ｂ部で木製板と木ビスにより固定する。（２）は木製丸脚に差し込んで取り付ける金物で、キャップ状のオスネジ金物で頭部分ｄと差し込み部分ｅにより木ビスで固定する。（３）は、棚板の場合貫通穴に（１）−（３）を差し込み、位置を決めて両端部分ｇで固定する形態となっている。
【００２２】図２は、図１の金物をテーブルに取り付ける場合（１）′−（２）の図では板面四隅に筒状ねじ込み部分を露出した状態で取付ける形態であり、（１）−（２）の図では板面四隅に穴加工を施し筒状ねじ込み部分を埋め込んだ状態で取り付ける形態となっている。（イ）、（ロ）は金物をそれぞれ木材に木ビスにより固定する詳細を示している。
【００２３】図３は、棚製作の場合には天板部分は図２に示した（１）−（２）の取り付け方であり、下段部分では板面四隅に貫通穴を施し（１）−（３）を木製丸棒に通した状態で位置を決めて取り付けた形態を示しており（１）−（３）の（ハ）は金物をそれぞれ木材に木ビスにより固定する詳細を示している。
【符号の説明】
【００２４】（１）、（１）′  つば付き筒状メスネジ金物
（２）        筒状オスネジ金物（キャップ状）
（３）        筒状オスネジ金物（ソケット状）
ａ、ｃ、ｆ      平行ネジ
ｂ、ｄ、ｅ、ｇ  木ビス固定部
【図１】
0003217703.tif 000003
【図２】
0003217703.tif 000004
【図３】
0003217703.tif 000005
(57)【要約】      （修正有）【課題】取り外し自在の塵袋を取り付け、塵の収容量を増加させる塵取を提供する。【解決手段】前端が開放され箱形に形成され、後端側に開閉可能な蓋６を有する本体３は、後端側に配置された着脱自在の塵袋９を有し、固定可能であり、使用時には下側に配置される底面と対向する天面を有し、蓋６を底面側から、天面側に回動させ、天面で係留させることが可能な塵取。【選択図】図１
0003217707.tif 000002
【実用新案登録請求の範囲】
【請求項１】
前端が開放され、箱形に形成され、後端側に開閉可能な蓋を有する本体は、後端側に配置された着脱自在の塵袋を有し、固定可能であり、使用時に、下側に配置される底面と対向する天面を有し、蓋は底面側から天面側に回動させ、天面で係留させることが可能な塵取。
【考案の詳細な説明】
【技術分野】
【０００１】  本考案は、塵取に関するものである。
【背景技術】
【０００２】  従来の塵取を大別すると、受皿的と箱形とがあるが、それぞれ塵の収容量が限定されている。
【考案の概要】
【考案が解決しようとする課題】
【０００３】  このため塵取内の収容量を増やすために塵袋を取り付けてもよいが、この場合塵袋が、邪魔になる
【課題を解決するための手段】
【０００４】  前端が開放され箱形に形成され、後端側に開閉可能な蓋を有する本体は、後端側に配置された、着脱自在の塵袋を有し、固定可能であり使用時には、下側に配置される底面と対向する天面を有し、蓋は底面側から天面側に回動させ天面で係留させることが可能な塵取。
【考案の効果】
【０００５】  上述のように、本考案の塵取に塵袋を取り付けることにより、塵の収容量が増加し、移し替え作業が軽減される、塵袋を取り付けても、取り外しても使用可能な塵取りを提供することを目的とする。
【図面の簡単な説明】
【０００６】
【図１】  本考案の塵取の実施例を示す斜視図である。
【図２】  蓋の動作を説明する図である。
【図３】  同上
【図４】  同上
【考案を実施するための形態】
【０００７】  前端が開放され、箱形に形成され、後端側に、開閉可能な蓋６を有する本体３は、後端側に配置された着脱自在の塵袋９を有し、固定可能であり、使用時に下側に配置される底面と対向する、天面を有し蓋６は、底面側から天面側に回動させ、天面で係留させることが可能な塵取。
【０００８】  本考案の塵袋９の取り付けは、蓋６に蝶番７を取り付け、回動するようにし、蓋６の中央部に「フック」を取り付け、蓋６と対面する天面に受坑８を設け蓋を係留させ後端側に塵袋９を、本体の四隅に設置してある、滑り止め突起１１を通して輪ゴム１０又は、紐等で固定する。
【０００９】  以上で塵入れ口４から塵袋９へと掃き入れることが出来る塵取である。
【００１０】  塵袋９の取り外しは、これまでの逆行程を行なう、まず輪ゴム１０又は、紐等を取り外し、塵袋９を除去さらに天面側に固定していた蓋６を底面側の蓋止１２で固定する。
【符号の説明】
【００１１】１    握り                ８    受坑
２    支柱                ９    塵袋
３    本体                １０  輪ゴム
４    塵入れ口            １１  滑り止突起
５    塵入れ口覆          １２  蓋止
６    蓋                  １３  蓋固定の折り返し
７    蝶番
【図１】
0003217707.tif 000003
【図２】
0003217707.tif 000004
【図３】
0003217707.tif 000005
【図４】
0003217707.tif 000006
(57)【要約】      （修正有）【課題】正座補助椅子を手軽に、周りの人に気付かれる事なく使用出来る様にしたシークレット正座椅子を提供する。【解決手段】右側部１と左側部２とが天井部３で連結されているコの字型の本体と、右側部１と左側部２の各内面に設けられたクッション４を有する一対の部分椅子を、右側部１と左側部２との間にクッション４を介して正座者の両ふくらはぎを挟み込む様にそれぞれを装着し、これらの天井部３を正座者の座面となる様にした。【選択図】図１
0003217706.tif 000002
【実用新案登録請求の範囲】
【請求項１】
右側部と左側部とが天井部で連結されているコの字型の本体と、右側部と左側部の各内面に設けられたクッションを有する一対の部分椅子を、右側部と左側部との間にクッションを介して正座者の両ふくらはぎを挟み込む様にそれぞれを装着し、これらの天井部を正座者の座面となる様にしたシークレット正座椅子。
【請求項２】
前記クッションは、コの字本体の開口部の奥側よりも外側が突出している請求項１に記載のシークレット正座椅子。
【考案の詳細な説明】
【技術分野】
【０００１】本考案は、従来の正座補助椅子を手軽に又、周りの人に気付かれる事なく使用出来る様にした物である。
【背景技術】
【０００２】着物やロングスカート等を着用した場合、座部と床接地面を支える支持板が両足の間に入る為、従来型の正座補助椅子は使用出来ない。
又、立ちあがる時に正座補助椅子が床に残ってしまい見栄えが悪い。
【考案の概要】
【考案が解決しようとする課題】
【０００３】従来の正座補助椅子は椅子を変形させた物で、必要な時に尻部へあてがう為、持ち運びが必要であった。
又、立ちあがった時に補助椅子が残り見栄えが悪かった。
【課題を解決するための手段】
【０００４】請求項１の考案は、正座補助椅子を二つに分けて両脚のふくらはぎにそれぞれ装着出来る様にしたもので、右側部と左側部とが天井部で連結されているコの字型の本体と、その内面に設けられたクッションを有する一対の部分椅子を、正座者の両ふくらはぎを挟み込む様にそれぞれを装着し、これらの天井部を正座者の座面となる様にしたものである。
請求項２の考案は、足に装着しやすく又抜けにくくする為に、３方向にクッションを付け、側面の２つは本体の開口側がその奥側よりも外側に向かって突出してふくらはぎを包み込める形状にしたものである。
【考案の効果】
【０００５】ズボン型或いは膝上スカート以外の着物やロングスカート等でも正座補助椅子が使用出来る様になった。
ふくらはぎにそのまま装着出来るので、立ちあがっても本考案品が見えない為、見栄えが良く、移動しても持ち歩く必要が無くなった。
ズボンや着物等の中に本考案品を装着する事により、使用している事を悟られる事なくスマートな正座が長時間可能となる。
クッションがふくらはぎを包み込んで固定するので、違和感のない使用が可能となった。
【図面の簡単な説明】
【０００６】
【図１】本体  上からの図
【図２】本体  斜め前からの図
【図３】本体  斜め後ろからの図（正座者の座部）
【図４】右足用と左足用で一対となった本体
【図５】本体を装着した時の立ち姿  （後面）
【図６】本体を装着した時の立ち姿  （前面）
【図７】本体を装着した時の正座している姿
【考案を実施するための形態】
【０００７】荷重負荷に十分耐えうる剛材を使用したコの字型の本考案品を、内側のクッションでふくらはぎを挟み込み固定する。
【実施例】
【０００８】以下、添付図面に従って説明する。
右側部▲１▼と左側部▲２▼とが天井部▲３▼で連結されているコの字型の本体と、内面に設けられたクッション▲４▼を有する一対の正座補助椅子▲５▼を、正座者の両ふくらはぎの後ろより差し込み、クッションを介してそれぞれを装着し、▲３▼の天井部が座部となり長時間の正座が可能となる。
又、右側部▲１▼と左側部▲２▼の内側に配置されたクッション▲４▼は、奥側よりも開口側の方が内側に向かって突出しており、ふくらはぎを包み込める形状にしていると共に、小さな突出▲７▼を複数配置する事により、装着時にふくらはぎから抜けにくくしている。
【符号の説明】
【０００９】１    部分椅子の右側部
２    部分椅子の左側部
３    部分椅子の天井部（正座者の座部）
４    右側部・左側部・天井部のクッション
５    一対のシークレット正座補助椅子（右足用と左足用）
６    床との接地面
７    小さな突出を配置したクッション
８    立ち姿を正面から見た、本考案品の装着時の様子
９    立ち姿を後面から見た、本考案品の装着時の様子
１０  正座時を横から見た、本考案品の装着時の様子
【図１】
0003217706.tif 000003
【図２】
0003217706.tif 000004
【図３】
0003217706.tif 000005
【図４】
0003217706.tif 000006
【図５】
0003217706.tif 000007
【図６】
0003217706.tif 000008
【図７】
0003217706.tif 000009
(57)【要約】      （修正有）【課題】製造容易で且つ物品の取出しが容易な物品収納機能を備えるソファーを提供する。【解決手段】基台１１の背面上方側に背凭れ骨組部を形成し、背凭れ骨組部にクッション被覆（クッション層１２２及びカバー布１２３）を施して背凭れ１２を形成すると共に、基台１１上に座部を設けてなるソファーにおいて、基台１１を箱状に形成して上方開口の収納空間Ａを備えると共に、座部を、収納空間Ａの上方開口部を閉塞する置き蓋として装着してなる。【選択図】図３
0003217744.tif 000002
【実用新案登録請求の範囲】
【請求項１】
基台の背面上方側に背凭れ骨組部を形成し、背凭れ骨組部にクッション被覆を施して背凭れを形成すると共に、前記基台上に座部を設けてなるソファーにおいて、基台を箱状に形成して上方開口の収納空間を備えると共に、前記座部を、前記収納空間の上方開口部を閉塞する置き蓋として装着してなることを特徴とするソファー。
【請求項２】
座部を底部骨組部と前記底部骨組部の上面を覆うクッション部で構成すると共に、前記底部骨組部を、収納空間を形成する周壁の上縁に載置する形状に形成すると共に、クッション部を底部骨組部の前方に膨出させてなる請求項１記載のソファー。
【請求項３】
基台の両側方に板面状の肘掛部を付設してなる請求項１又は２記載のソファー。
【請求項４】
収納空間及び座部を複数設けてなる請求項１乃至３記載の何れかのソファー。
【考案の詳細な説明】
【技術分野】
【０００１】
本考案は、収納機能を備えたソファーに関するものである。
【背景技術】
【０００２】
ソファーに物品収納機能を備えることは従前より提案されている。例えば特許文献１には、座面の下部に引き出し状の収納箱を設けるソファーベッドが開示されている。また特許文献２には、座部内部に収納空間を設け、背凭れを後方に倒伏した後、ヒンジ連結した座面部回動して、前記収納空間を開口するソファーベッドが開示されている。
【先行技術文献】
【特許文献】
【０００３】
【特許文献１】特開２００４−３５８０１３号公報。
【特許文献２】登録実用新案３０７２８８８号公報。
【考案の概要】
【考案が解決しようとする課題】
【０００４】
収納機能を備えたソファーは前記したとおり公知であるが、特に特許文献１においては引き出し構造を採用しているが、家具であるソファーにあっては、前記の引出しはタンスなどの家具同様に製作することになり、製造が煩瑣であって当然コスト高となる。また特許文献２に開示されているように、背凭れの回動操作を前提とする構造にあっては、ソファー使用中に簡単に収納物の取出しができない不便さがある。
【０００５】
そこで本考案は、製造容易で且つ収納物の取出しに便利な収納機能を備えたソファーを提案したものである。
【課題を解決するための手段】
【０００６】
本考案の請求項１記載に係るソファーは、基台の背面上方側に背凭れ骨組部を形成し、背凭れ骨組部にクッション被覆を施して背凭れを形成すると共に、前記基台上に座部を設けてなるソファーにおいて、基台を箱状に形成して上方開口の収納空間を備えると共に、前記座部を、前記収納空間の上方開口部を閉塞する置き蓋として装着してなることを特徴とするものである。
【０００７】
而して座部を基台から着脱することで収納空間の開閉がなされ、収納空間を物入れとして使用することができる。
【０００８】
本考案の請求項２記載に係るソファーは、特に座部を底部骨組部と前記底部骨組部の上面を覆うクッション部で構成すると共に、前記底部骨組部を、収納空間を形成する周壁の上縁に載置する形状に形成すると共に、クッション部を底部骨組部の前方に膨出させてなるもので、座部が安定して基台上に載置される。
【考案の効果】
【０００９】
本考案の構成は上記のとおりで、座部を収納空間の置き蓋とした構成を採用したことによって、製造容易で且つ収納物の取出しに便利な収納機能を備えたソファーを提供できたものである。
【図面の簡単な説明】
【００１０】
【図１】本考案の実施形態の全体斜視図（一部裁断）。
【図２】同座部の説明図。
【図３】同座部を取り外した状態の正面斜視図。
【図４】同基台と背凭れ骨組部の斜視図。
【考案を実施するための形態】
【００１１】
次に本考案の実施形態について説明する。実施形態に示したソファーは、二人掛けでもソファー本体１と座部２で構成される。
【００１２】
ソファー本体１は、基台１１と背凭れ１２と肘掛部１３で構成される。基台１１は、底面１１１と周壁１１２と仕切り板１１３で箱形状形成して２個の収納空間Ａを備えるようにしたものである。
【００１３】
背凭れ１２は、前記基台１１の背面上方側に背凭れ骨組部１２１を形成し、背凭れ骨組部１２１に発泡樹脂で形成したクッション層１２２及びカバー布１２３で被覆して形成したものである。
【００１４】
肘掛部１３は、板面状で基台１１の両側に付設固定したもので、前記のカバー布１２３と同一材で被覆すると共に底面に脚１３１を設けてなる。
【００１５】
座部２は、底部骨組部２１と前記底部骨組部２１の上面を覆うクッション部２２で構成され、底部骨組部２１は、基台１１に形成した収納空間Ａの上方開口箇所の周壁１１２及び仕切り板１１３の上面に載置する形状に形成したものである。
【００１６】
クッション部２２は、クッション材で形成したクッション層２３とクッション層２３を覆うカバー布２４で形成したもので、特にクッション部２２は底部骨組部２１の前方に膨出させて形成してなる。
【００１７】
而して座部２をソファー本体１の基台１１の上に載置することで通常のソファーとして使用され、座部２を持ち上げると収納空間Ａの上方開口個所が開口して収納空間Ａが露出することになるので、物入れとして使用できる。
【００１８】
特に本実施形態のように複数の座部２を備えているソファーにおいては、ソファーに座った状態で隣接する座部２を持ち上げることによって収納空間Ａからの物品の出し入れが可能となるものである。
【符号の説明】
【００１９】
１      ソファー本体
１１    基台
１１１    底面
１１２    周壁
１１３    仕切り板
１２    背凭れ
１２１    背凭れ骨組部
１２２    クッション層
１２３    カバー布
１３    肘掛部
１３１    脚
２      座部
２１    底部骨組部
２２    クッション部
２３    クッション層
２４    カバー布
Ａ      収納空間
【図１】
0003217744.tif 000003
【図２】
0003217744.tif 000004
【図３】
0003217744.tif 000005
【図４】
0003217744.tif 000006
(57)【要約】      （修正有）【課題】カラーバリエーションのある畳並びに洋風建築にもマッチするデニム畳を提供し、畳に対する新しいイメージを創出する。【解決手段】畳床３の表面３ａに畳表を取り付けた畳であって、畳表にデニム生地２を使用したことを特徴とし、また畳床３へのデニム生地２の取り付けは、畳床３に圧着貼り付けにより行われることを特徴としている。【選択図】図２
0003217722.tif 000002
【実用新案登録請求の範囲】
【請求項１】
畳床と畳表を主要構成とする畳であって、前記畳表にデニム生地を使用したことを特徴とするデニム畳。
【請求項２】
畳床へのデニム生地の取り付けは、前記畳床に圧着貼り付けにより行われることを特徴とする請求項１記載のデニム畳。
【請求項３】
畳床に貼り付けされるデニム生地は、前記畳床の端面から全周にわたり張り出し部を有し、前記畳床に貼り付け後に、前記張り出し部を前記畳床の側面を包み込ませて畳床裏面の端面全周にわたり貼り付けすることを特徴とする請求項１または２記載のデニム畳。
【請求項４】
畳床の厚みは、１０ｍｍ乃至３０ｍｍとしたことを特徴とする請求項１乃至３記載のデニム畳。
【考案の詳細な説明】
【技術分野】
【０００１】  本考案は、従来のい草畳表の代わりに、デニム生地を使用した畳に関するものである。
【背景技術】
【０００２】  従来の畳は、例えば特許文献１又は特許文献２に示すように基本的に畳表には「い草」が用いられている。
【先行技術文献】
【特許文献】
【０００３】
【特許文献１】実開平７−４６６８号公報
【特許文献２】実用新案登録第３０３８９４２号公報
【考案の概要】
【考案が解決しようとする課題】
【０００４】  上述のように、今日の住宅の和室や洋間の一部などに使用されている畳は畳表にい草が用いられているが、この畳表は草色一色のみで経年変化により次第に退色するためファッション性に欠け、さらにクッション性にも課題があるため需要者の年代層により嗜好傾向に著しく差異を生じていた。このため、需要者の多様性に応えるべく畳のイメージを変える新たな畳文化の創出が求められていた。
【課題を解決するための手段】
【０００５】  本考案は、上記課題を解決するため、畳床の表面に畳表を取り付けた畳であって、前記畳表にデニム生地を使用したことを特徴としている。また畳床へのデニム生地の取り付けは、前記畳床に圧着貼り付けにより行われることを特徴とする。
【考案の効果】
【０００６】  デニム生地を畳表に使用することによりカラー畳が製造可能となり、カラーバリエーションに対応でき、また、圧着工法により薄型畳が製造できるため、フローリング用畳としての用途も考えられる。
また、デニム生地は退色性にも優れており、クッション性があり、肌触りの柔らかいデニムの特性を活かすことができる。
さらに、多様なカラーデニム畳をインテリアコーディネーターや設計士業界に提案でき、畳需要減少の歯止めとして役立つ。
【図面の簡単な説明】
【０００７】
【図１】本考案のデニム畳の全体斜視図である。
【図２】図１のＡ−Ａ断面を示す図である。
【図３】本考案のデニム畳の背面図で、畳床裏面にデニム生地を包み込む前の状態を示す図である。
【考案を実施するための形態】
【０００８】  以下、本考案に係るデニム畳の一実施の形態について、図１乃至図３に基づいて説明する。
１は本考案のデニム畳の製品で８０〜９０ｃｍ四方の半畳サイズのものを示しており、畳床３と畳床の表面３ａに圧着貼り付けされたデニム生地２を主要構成としている。
【０００９】  デニム畳の製造は、先ず、畳床の表面３ａの平面サイズよりやや大きめ、例えば四辺とも１０ｃｍ程度の張り出し長さＷのあるデニム生地を畳床の表面３ａにホットプレス機を使用して圧着貼り付けし、次に、デニム生地の張り出し部２ａを畳床の側面３ｂを包み込むようにして畳床の裏面３ｃの端部全周にわたり貼り付ける。
ホットプレス機を使用することにより畳床にデニム生地を確実に圧着出来、歪みのない加工ができる。また、折り曲げ機の使用でデニム生地を包み込むことにより綺麗な仕上がりとなる。
【００１０】  デニム畳の厚みＴは、請求項４に記載のように畳床の厚さを変えることで需要に合わせたものを製造することができる。薄型の畳はフローリング用畳やクッションにも利用することができ、また、収納にも便利である。
【符号の説明】
【００１１】１    デニム畳
２    デニム生地（畳表）
２ａ  デニム生地の張り出し部
３    畳床
３ａ  畳床の表面
３ｂ  畳床の側面
３ｃ  畳床の裏面
Ｔ    デニム畳の厚み
Ｗ    デニム生地の張り出し長さ
【図１】
0003217722.tif 000003
【図２】
0003217722.tif 000004
【図３】
0003217722.tif 000005
(57)【要約】      （修正有）【課題】耐油性・耐摩耗性ゴムを焼き付けることにより、勢いよく飛んでくる空き缶その他の固形物による大きな騒音や損傷を防止する廃棄物選別機におけるベルトコンベアのスクレーパを提供する。【解決手段】廃棄物選別機２におけるベルトコンベア３のスクレーパ１の一部又は底面を除く全面にＮＢＲ等の耐油性・耐摩耗性ゴムを焼き付けて一体化する。【選択図】図３
0003217727.tif 000002
【実用新案登録請求の範囲】
【請求項１】
廃棄物選別機におけるベルトコンベアに取り付けたスクレーパに、ＮＢＲ等の耐油性・耐摩耗性ゴムを焼き付けて、これと一体化してなる廃棄物選別機におけるベルトコンベアのスクレーパ。
【請求項２】
廃棄物選別機におけるベルトコンベアのスクレーパの一部又は底面を除く全面に、ＮＢＲ等の耐油性・耐摩耗性ゴムを焼き付けてこれと一体化してなる廃棄物選別機におけるベルトコンベアのスクレーパ。
【考案の詳細な説明】
【技術分野】
【０００１】
本考案は、廃棄物選別機におけるベルトコンベアのスクレーパに関するものである。
【背景技術】
【０００２】
磁選機を使用した、ステンレス、鉄、アルミニウム等の缶選別機には、ベルトコンベアが多く使用され、そのベルトコンベア上には多数のスクレーパが設けられている（特許文献１及び特許文献２参照。）。
【０００３】
そして、斯かるベルトコンベア上に設けられたスクレーパにより、空き缶が搬送される。その際、空き缶は相当な勢いでベルトコンベア上に運ばれるため、飛んできた空き缶がスクレーパに衝突すると大きな騒音が発生し、更にはこれがスクレーパやベルトコンベアを損壊してしまう虞がある。特に、ベルトコンベアの一箇所において棄損が発生しても、再度稼働するためにはベルトコンベア全体を交換したり調整したりするために、一度ベルトコンベアを停止して作業を行わなければならず、それに要する時間と労力の損失は極めて大きなものとなる。
【先行技術文献】
【特許文献】
【０００４】
【特許文献１】特開２０００−３３２８７号公報
【特許文献２】特開平０７−１９４９９２号公報
【考案の概要】
【考案が解決しようとする課題】
【０００５】
本考案は上記の点に鑑みなされたものであって、磁選機等のベルトコンベア上に取り付けたスクレーパに、ＮＢＲ等の耐油性・耐摩耗性ゴムを焼き付けて、これと一体とすることによって、空き缶等の廃棄物が勢いよく飛んできてスクレーパに激しく衝突することによって生ずる騒音を防止し、更にはスクレーパ又はベルトコンベアそのものの破損を防止することのできる廃棄物選別機におけるベルトコンベアのスクレーパを提供しようとするものである。
【課題を解決するための手段】
【０００６】
而して、本考案の要旨とするところは、廃棄物選別機におけるベルトコンベアに取り付けたスクレーパに、ＮＢＲ等の耐油性・耐摩耗性ゴムを焼き付けて、これと一体化してなる廃棄物選別機におけるベルトコンベアのスクレーパにある。尚、ＮＢＲ等の耐油性・耐摩耗性ゴムは、スクレーパの一部又は底面を除く全面に焼き付けることが望ましい。
【考案の効果】
【０００７】
本考案は上記の如き構成であり、これにより廃棄物中の空き缶その他の固形物が勢いよく飛んできてスクレーパに激しく衝突することによって生ずる騒音を防止し、更にはスクレーパ又はベルトコンベアそのものの破損をも防止することができるものである。
【図面の簡単な説明】
【０００８】
【図１】公知の廃棄物選別機の全体図である。
【図２】廃棄物選別機におけるベルトコンベアを示す図である。
【図３】公知の磁選機の一例を示す概略的構成図である。
【図４】本考案の実施形態におけるスクレーパを示す断面図である。
【考案を実施するための形態】
【０００９】
以下、本考案を実施するための形態について、図面を参照して説明する。
【００１０】
図１は特許文献１を示すものであり、図中１４はステンレス選別装置、１６は定量供給装置、１７はローラープレス機、１７ａ、１７ｂはローラー、１８は押込装置、１９はコンベア、１９ａはスクレーパ、２０は高磁力マグネットプーリー、２１、２２は分岐シュート、Ｗ１は破砕物、Ｗ２は非磁性金属・可燃物などの破砕物、Ｗ３はステンレス破砕物、ａ、ｂは間隔を示すものである。
【００１１】
図３中、１は廃棄物選別機２におけるベルトコンベア３に取り付けたスクレーパを示すものであり、４は磁石、５は搬送用コンベア、６は磁性体、７は非磁性体を示すものである。これにより、スクレーパ１を介してベルトコンベア３により搬送用コンベア５上に搬送されてきた廃棄物は、磁石４の吸着作用により、磁性体６と非磁性体７とに選別されて分別される。本考案は、図４に示す如く、そのスクレーパ１の一部又は底面を除く全面にＮＢＲ等の耐油性・耐摩耗性ゴム８を焼き付けて一体化するものである。
【００１２】
これにより、搬送されてきた空き缶その他の廃棄物は、スクレーパ１と一体化したＮＢＲ等の耐油性・耐摩耗性ゴムの部分８に衝突する。したがって、空き缶等の廃棄物が勢いよく飛んできたとしても、このＮＢＲ等の耐油性・耐摩耗性ゴム８の緩衝力により騒音が防止され、また、従来のように空き缶等の廃棄物が直接スクレーパ１に衝突せず、空き缶等の廃棄物はＮＢＲ等の耐油性・耐摩耗性ゴム８に衝突するから、スクレーパ１やベルトコンベア３又は搬送用コンベア５を損傷することがない。
【００１３】
本実施形態は上記の如き構成であり、スクレーパ１と一体化したＮＢＲ等の耐油性・耐摩耗性ゴムの部分８により、空き缶等の廃棄物が勢いよく飛んできてこれに衝突することにより生ずる騒音を吸収することができるから、大きな騒音の発生を防止し、更には、勢いよく飛んでくる空き缶その他の廃棄物によるスクレーパ１及びベルトコンベア３又は搬送用コンベア５の損傷を防止することができるものである。
【符号の説明】
【００１４】
１  スクレーパ
２  廃棄物選別機
３  ベルトコンベア
４  磁石
５  搬送用コンベア
６  磁性体
７  非磁性体
８  ＮＢＲ等の耐油性・耐摩耗性ゴム
【図１】
0003217727.tif 000003
【図２】
0003217727.tif 000004
【図３】
0003217727.tif 000005
【図４】
0003217727.tif 000006
(57)【要約】      （修正有）【課題】肩及び背中をしっかりマッサージできるように、円筒枠内にボールを入れ、その円筒枠に柄を設けることにより、凝った箇所に器具を自在に移動させ、強い力を要しないマッサージボールを提供する。【解決手段】円筒１の枠内にボール２を入れ、円筒枠に柄３を設ける。床に置き、仰向けになり、円筒枠に設けた柄を持って凝った箇所にボールが当たるよう自在に移動することにより、強い力を要せず凝った箇所をマッサージすることができる。【選択図】図２
0003217723.tif 000002
【実用新案登録請求の範囲】
【請求項１】
円筒枠内にボールを入れ、その円筒枠に柄を設けることにより、凝った箇所に器具を自在に移動させ、強い力を要せずマッサージすることを特徴とするマッサージボール。
【考案の詳細な説明】
【技術分野】
【０００１】  本考案は、柄のついた円筒枠内に入れたボールを使ったマッサージボールに関するものである。
【背景技術】
【０００２】  従来、手動により器具を用いて、肩及び背中をマッサージする際、凝った箇所を強く押す力が必要で、さらにその器具を凝った箇所に自在に移動させられないものであった。
【先行技術文献】
【特許文献】
【０００３】
【特許文献１】
【非特許文献】
【０００４】
【非特許文献１】
【考案の概要】
【考案が解決しようとする課題】
【０００５】  従来、手動により器具を用いて、肩及び背中をマッサージする際、次のような欠点があった。
（イ）凝った箇所を押す力が弱い。
（ロ）マッサージ器具を押す強い力が必要。
（ハ）マッサージ器具を凝った箇所に自在に移動しにくい。
（ニ）上記の理由により、十分に凝りをほぐすことができない。
本考案は、以上の欠点を解決しようとするものである。
【課題を解決するための手段】
【０００６】  本考案は、手動により器具を用いて肩及び背中をマッサージする際に、円筒枠に柄を設け、その円筒枠内にボールを設けることにより、強い力を要し、凝った箇所へ器具を移動しにくいという、従来の問題点を解決している。
【考案の効果】
【０００７】  円筒枠に柄を設け、その円筒枠内にマッサージ用のボールを入れているため、強い力を要せず、凝っている箇所にそのボールを自在に移動させてマッサージすることに役立つ。
【図面の簡単な説明】
【０００８】
【図１】  本考案の平面図である。
【図２】  本考案の側面図である。
【考案を実施するための形態】
【０００９】  円筒枠内にボール入れて床に置き、仰向けになり、円筒枠に設けた柄を持って凝った箇所にボールが当たるよう自在に移動するとともに、強い力を要せず凝った箇所をマッサージすることができる。
【実施例】
【００１０】  以下、別添付図面に従って実施例を説明する。
１の円筒枠内に２のボール入れて床に置き、仰向けになり、１の円筒枠に設けた３の柄を持って、凝った箇所に２のボールが当たるよう自在に移動させ、強い力を要せずマッサージする。
【符号の説明】
【００１１】    １  円筒
２  ボール
３  柄
【図１】
0003217723.tif 000003
【図２】
0003217723.tif 000004
(57)【要約】      （修正有）【課題】音声と映像が不同期となる現象を解決し、カラオケボックスでよりよい音声／映像効果を体験できるカラオケ機能付セットトップボックスを提供する。【解決手段】音声／映像リアルタイムキャスティング機能プロセッサ１１、高精細デジタル技術出力の音声／映像デコードプロセッサ１２と音声混合プロセッサ１３を含む。これにより、カラオケ楽曲マルチメディアの映像を大モニタに放送することができ、且つ出力音声とマイクロホン音声を混合して、音声設備に出力し、よりよいカラオケボックスの音声／映像効果を達成する。【選択図】図２
0003217358.tif 000002
【実用新案登録請求の範囲】
【請求項１】
カラオケ機能付セットトップボックスの一種であって、
インテリジェント端末設備と無線ＬＡＮ接続してカラオケ楽曲マルチメディアのダウンロードおよび放送を行う音声／映像リアルタイムキャスティング機能プロセッサと、
前記音声／映像リアルタイムキャスト機能プロセッサのうしろに設置され、前記音声／映像リアルタイムキャスト機能プロセッサからの信号を受信し、音声混合プロセッサとの間で信号を送受信する音声／映像デコードプロセッサと、を備え、
前記音声混合プロセッサは、前記音声／映像デコードプロセッサに接続され、マイクロホン用の音声受信モジュールとＡ／Ｄ変換器からの音声受信と処理を行い、同時に、受信した前記音声受信モジュールからの音声信号を音声混合処理して音響効果を加え、前記音声／映像デコードプロセッサに送り返して出力させるカラオケ機能付セットトップボックス。
【請求項２】
前記音声混合プロセッサは、音質と音響効果を最適化できる、請求項１に記載のカラオケ機能付セットトップボックス。
【考案の詳細な説明】
【技術分野】
【０００１】
本考案は、カラオケ機能付セットトップボックスに関する。
【背景技術】
【０００２】
現在カラオケボックスは、カラオケ用アプリ（ＡＰＰ）をＡＮＤＲＯＩＤ（登録商標）端末にインストールし、ＭＣＵがデコードした音声を出力してマイクロホンの音声と混合後、音声出力ポート経由で音声ケーブルと音声設備に接続して音声を出力し、映像をテレビなどのモニタに出力する。
【０００３】
または、ブルートゥース（登録商標）か、ケーブルを通じて、インテリジェント端末装置と接続し、単純に音声入力とマイクロホンの音声を混合して、音声設備に出力する。
【０００４】
しかし、こういうカラオケ用アプリをＡＮＤＲＯＩＤ（登録商標）端末にインストールして、ＭＣＵがカラオケ楽曲マルチメディア音声を処理する方法では、人間の聴覚で感じられるほど時間的遅延が生じ、また選曲の操作も不便且つ機器操作への反応も遅れる実状があり、カラオケボックスでは高品質の効果を体験することができない。
【考案の概要】
【考案が解決しようとする課題】
【０００５】
本考案の目的は、カラオケ用アプリをＡＮＤＲＯＩＤ（登録商標）端末にインストールして、ＭＣＵがカラオケ楽曲マルチメディア音声を処理する際、音声と映像が不同期になる現象を解決し、カラオケボックスの音声／映像効果において、利用者がより優れた感覚を体験できるようにすることである。
【課題を解決するための手段】
【０００６】
本考案は、カラオケ機能付セットトップボックスの一種であって、
インテリジェント端末設備と無線ＬＡＮ接続してカラオケ楽曲マルチメディアのダウンロードおよび放送を行う音声／映像リアルタイムキャスティング機能プロセッサと、
音声／映像リアルタイムキャスト機能プロセッサのうしろに設置され、音声／映像リアルタイムキャスト機能プロセッサからの信号を受信し、音声混合プロセッサとの間で送受信する音声／映像デコードプロセッサと、を備え、
音声混合プロセッサは、音声／映像デコードプロセッサに接続され、主にマイクロホンの音声受信モジュールとＡ／Ｄ変換器からの音声受信と処理を行い、同時に受信した音声モジュールから音声信号を音声混合処理し、再び音声／映像デコードプロセッサに送り返して出力させる。これにより、よりよい音声／映像出力ができる。
【図面の簡単な説明】
【０００７】
【図１】本考案の実施形態の設置例である。
【図２】本考案の機能部品構成の模式図である。
【考案を実施するための形態】
【０００８】
まず、図１〜２を参照する。本考案の構成は、カラオケ機能付セットトップボックス１と、音声／映像リアルタイムキャスティング機能プロセッサ１１と、音声／映像デコードプロセッサ１２と、音声混合プロセッサ１３とからなる。
音声／映像リアルタイムキャスティング機能プロセッサ１１は、主にインテリジェント端末設備とＷｉＦｉ（登録商標）接続して、カラオケ楽曲マルチメディアのダウンロードと放送を行う。
音声／映像デコードプロセッサ１２は、主に音声／映像キャスティング機能プロセッサ１１が放送した信号を受信し、信号を音声混合プロセッサ１３との間で送受信する。
音声混合プロセッサ１３は、主にマイクロホンの音声受信モジュール１３０とＡ／Ｄ変換器１３１からの信号の受信と処理を行い、同時に、受信した音声モジュールからの音声信号を音声混合処理し、再び音声／映像デコードプロセッサ１２に送り返して、最後にテレビやプロジェクターに出力する。
【０００９】
本考案は、音声混合プロセッサ１３がマイクロホンの音声信号（第１音声信号）と音声／映像デコードプロセッサ１２からの音声信号（第２音声信号）を受信し、第１音声信号と第２音声信号に音声混合処理を行い、処理後の音声信号を音声／映像デコードプロセッサ１２に出力し、音声／映像デコードプロセッサが再び分離および合成処理後に出力する。
【００１０】
上記のように、本考案は下記の長所を有する。すなわち、放送した映像とマイクロホンの音声を分離処理して、再び音声混合処理することにより、出力した映像と音声の効果がより最適化されたカラオケ音声効果を有するに至る。
【符号の説明】
【００１１】
１      カラオケ機能付セットトップボックス
１１    音声／映像リアルタイムキャスティング機能プロセッサ
１２    音声／映像デコードプロセッサ
１３    音声混合プロセッサ
１３０  音声受信モジュール
１３１  Ａ／Ｄ変換器
【図１】
0003217358.tif 000003
【図２】
0003217358.tif 000004